(57)【要約】【課題】遊技領域を流下した球を遊技者に返却する。【解決手段】遊技盤１の遊技領域３に発射された球が始動入賞部品２８に入賞すると、制御装置３１が抽選を実行するとともに図柄表示器３２に図柄変動開始を指示した後に抽選結果を反映した図柄停止を指示する一方、図柄表示器３２の確定図柄が当たり図柄で揃う遊技者に有利な遊技状況となると、制御装置３１が振分機構２３を駆動せずに、振分機構２３の羽根が遊技領域３における最下部のアウト口２２を開くとともに遊技領域３における最下部のファール口２１を閉じ、アウト口２２に取り込まれた球が店側に回収される一方、図柄表示器３２の確定図柄が外れ図柄となる遊技者に不利な遊技状況となると、制御装置３１が振分機構２３を駆動し、振分機構２３の羽根がアウト口２２を閉じるとともにファール口２１を開き、ファール口２１に取り込まれた球が皿装置１３に返却される。【選択図】　　　　図１
2004121377.tif 000002
【特許請求の範囲】
【請求項１】
遊技盤における意匠盤面のガイドレールで囲まれた内側の遊技領域に球を店に回収するアウト口と球を遊技者に戻すファール口とを左右に設け、遊技状況でアウト口を開くとともにファール口を閉じアウト口を閉じるとともにファール口を開く振分機構が遊技盤に設けられたことを特徴とするパチンコ機。
【発明の詳細な説明】
【０００１】
【発明の属する技術分野】
本発明はガイドレールに沿って遊技領域から店側に回収すべくアウト口に向けて流れる球を遊技状況に応じてファール球として遊技者に返却し得るパチンコ機に関する。
【０００２】
【従来の技術】
図８は従来のパチンコ機を示す（例えば、特許文献１参照）。この従来例は、遊技盤１の前面である意匠盤面にガイドレール２で囲まれた内側を遊技領域３として形成し、ガイドレール２による発射球通路４の球出口に第１戻り球防止弁５を設け、遊技領域３の内部に内レール６を配置し、内レール６の最下部で遊技領域３の下部に第１アウト口７を設け、ガイドレール２と内レール６との間に再発射球通路８を形成し、再発射球通路８の球出口に第２戻り球防止弁９を設け、再発射球通路８の最下部に再球発射機構１０を設け、再球発射機構１０よりも左側の再発射球通路８に第２アウト口１１を設け、再球発射機構１０よりも右側の再発射球通路８にファール口１２を設けている。そして、発射球通路４から第１戻り球防止弁５を押し開けて遊技領域３の右側に発射された球は第２戻り球防止弁９で再発射球通路８に取り込まれることを阻止されて遊技領域３に戻されて入賞部品に入賞しない場合に第１アウト口７に取り込まれて店に回収される一方、発射球通路４から第１戻り球防止弁５を押し開けて遊技領域３の左側に発射された球はガイドレール２に沿って流下して再発射球通路８に取り込まれる。この再発射球通路８に取り込まれた球の流速が緩い場合には当該球は第２アウト口１１に取り込まれて店に回収され、再発射球通路８に取り込まれた球の流速が速い場合には当該球は第２アウト口１１を飛び越えた後に再球発射機構１０で再発射される。この再発射された球は第２戻り球防止弁９を押し開けて遊技領域３に発射されるが、当該再発射された球は再発射球通路８を第２戻り球防止弁９から再球発射機構１０の方向に流下してファール口１２に取り込まれて遊技者の側に返却されるファール球として皿装置１３に戻される。
【０００３】
【特許文献１】
特開平９−１９２３０１号公報（第１頁、要約、図２）
【０００４】
【発明が解決しようとする課題】
しかしながら、遊技領域にアウト口およびファール口を設けたパチンコ機においては、アウト口およびファール口のうちで上に位置する口から下部を遊技領域として使用することができない。そして、従来例では、第１・第２アウト口７；１１が上で、ファール口１２が下に配置されるというように、遊技領域３に第１・第２アウト口７；１１およびファール口１２が互いに上下に設けられた構造であるため、上に位置する第１・第２アウト口７；１１から下部が球発射機構１５および再球発射機構１０で発射された球が飛び交うとともに入賞の可能性を秘めた遊技領域３として使用することができず、有効な遊技領域３が狭くなってしまい、遊技性に欠けるという問題点があった。
【０００５】
そこで、本発明は有効な遊技領域を拡大しつつ遊技領域を流下した球をファール球として遊技者に返却することができるパチンコ機を提供するものである。
【０００６】
【課題を解決するための手段】
本発明にあっては、遊技盤における意匠盤面のガイドレールで囲まれた内側の遊技領域に球を店に回収するアウト口と球を遊技者に戻すファール口とを左右に設け、遊技状況でアウト口を開くとともにファール口を閉じアウト口を閉じるとともにファール口を開く振分機構が遊技盤に設けられたことによって、振分機構がアウト口を開くとともにファール口を閉じることで、遊技領域を入賞部品に入賞せずに流下した球が店に戻す球としてアウト口に取り込まれる一方、振分機構がアウト口を閉じるとともにファール口を開くことで、遊技領域を入賞部品に入賞せずに流下した球が遊技者に戻される球としてファール口に取り込まれる。そして、ファール口に取り込まれた球が遊技者に返却されることによって、入賞の可能性に再挑戦する機会を遊技者に与えることができる。とりわけ、アウト口とファール口とが遊技領域で左右に設けられているので、アウト口およびファール口から下部が球発射機構で発射された球が飛び交うとともに入賞の可能性を秘めた有効な遊技領域として使用することができ、有効な遊技領域を拡大することができる。
【０００７】
【発明の実施の形態】
図１−図２は第１実施形態であって、図１はパチンコ機の正面を示し、図２はアウト口２２およびファール口２１周りを横方向に切断した断面を示す。
【０００８】
図１を参照し、パチンコ機について説明する。図１において、遊技機枠１４の内部に設けられた球発射機構１５が遊技機枠１４の前面に設けられた球発射操作機構１６への遊技者による操作で遊技機枠１４の前面に設けられた皿装置１３からの球を１個ずつ遊技盤１に向けて発射する点、発射された球が遊技機枠１４の内部に格納された遊技盤１の前面である意匠盤面に遊技領域３を形成するガイドレール２における発射球通路４の球出口に設けられた戻り球防止弁５を押し開けて遊技領域３に放出される点は公知である。
【０００９】
これに対し、遊技盤１における遊技領域３の最下部にアウト口２２とファール口２１とを左右に横並びに設け、遊技盤１に振分機構２３を設けた点が新規である。第１実施形態では、図２にも示すように、アウト口２２とファール口２１とが遊技盤１の前後方向に貫通する１つの横長孔２４になっていて、横長孔２４の内部で振分機構２３の一対の羽根２５が左右に開閉することによって、横長孔２４をアウト口２２として機能させる場合とファール口２１として機能させる場合とを形成する形態である。横長孔２４の左右に相対峙する側面は遊技盤１の遊技領域３である前面から裏面に行くに従って間口を徐々に広くする斜面になっている。
【００１０】
具体的には、振分機構２３の羽根２５が実線で示すように開いている場合、羽根２５の先端部が横長孔２４の左右の側面の前縁に接触するかまたは接触する程度に近接してファール口２１を閉じるとともに、開放されている左右の羽根２５の間に形成された隙間がアウト口２２となる。羽根２５でファール口２１が閉じられた場合、遊技領域３を流下してきた球はファール口２１に入ることを羽根２５で拒否される。振分機構２３の羽根２５が仮想線で示すように閉じている場合、羽根２５の先端部が互いに接触するかまたは接触する程度に近接してアウト口２２を閉じるとともに、閉鎖されている左右の羽根２５と横長孔２４の左右の側面との間に形成された隙間がファール口２１となる。羽根２５でアウト口２２が閉じられた場合、遊技領域３を流下してきた球はアウト口２２に入ることを羽根２５で拒否される。換言すると、振分機構２３が遊技状況でアウト口２２を開くとともにファール口２１を閉じる一方、振分機構２３が遊技状況でアウト口２２を閉じるとともにファール口２１を開くことであって、振分機構２３の羽根２５がアウト口２２とファール口２１とを互いに交互に開閉する。
【００１１】
遊技盤１の遊技領域３に設けられたセンター飾り２７の真下に設けられた始動入賞部品２８に入賞した球は始動入賞球検出器２９で検出され、始動入賞球検出器２９が始動入賞信号を遊技盤１の裏側または遊技機枠１４の裏側に設けられた制御装置３１に出力する。制御装置３１は遊技者による球発射操作機構１６の操作量に応じた電気的な発射出力を球発射機構１５の駆動部に出力し、始動入賞信号の入力により当たり外れ抽選を実行するとともにセンター飾り２７の裏側に配置された図柄表示器３２に図柄変動開始を指示し、図柄変動の開始後に当たり外れの抽選結果を反映するように図柄表示器３２に図柄変動停止を指示し、当たり外れ抽選結果として外れが抽選されている場合には振分機構２３の振分駆動源４１および始動入賞部品２８とアウト口２２との間に位置するように遊技領域３に設けられたアタッカーや大入賞口と呼ばれるような可変入賞部品３３の電磁ソレノイドのような開閉駆動源（図外）を駆動せずに羽根２５および可変入賞部品３３の開閉体３４の開閉を行わず、当たり外れ抽選結果として当たりが抽選されている場合には可変入賞部品３３の開閉体３４を前後方向に開閉すべく可変入賞部品３３の開閉駆動源を駆動し、開閉体３４の開閉動作に伴う大当たり動作が終了すると、羽根２５の開閉を行うべく振分駆動源４１を駆動する。
【００１２】
図柄表示器３２による図柄変動や図柄停止の状況はセンター飾り２７に設けられた合成樹脂からなる図外の透過パネルを通してパチンコ機の前側から遊技者が視認し得る。遊技盤１の遊技領域３には図外の入賞部品、風車、サイドランプ、遊技釘などの部品も設けられる。遊技盤１の非遊技領域３０には図外の完了ランプ、賞球ランプなどの部品も設けられる。ガイドレール２、ファール口２１、アウト口２２、羽根２５、センター飾り２７、始動入賞部品２８、可変入賞部品３３、入賞部品、風車、サイドランプ、遊技釘、完了ランプ、賞球ランプなどの部品は遊技機枠１４に開閉可能に設けられたガラスまたは合成樹脂からなる透過性の有る図外の前面パネルで覆われる。当該前面パネルと遊技領域３における遊技盤１の意匠盤面との間には球の飛び交う空間が形成される。
【００１３】
図２を参照し、振分機構２３について説明する。振分機構２３は遊技盤１の裏側に止ねじのような図外の固着具で取り付けられる土台としての装置本体４２を備える。装置本体４２には左右の羽根２５および電磁ソレノイドのような振分駆動源４１を備える。羽根２５は装置本体４２に羽根軸４３で回転可能に取り付けられているとともに羽根軸４３を回転中心として実線で示す閉鎖位置と仮想線で示す開放位置とに開閉する。左右の羽根２５から突出したリンクプレート４４が装置本体４２に取り付けられた振分駆動源４１のプランジャのような出力体４５に１つのリンク軸４６で連結される。出力体４５に取り付けられた止輪４８と振分駆動源４１の励磁コイルとの間に位置するように、コイルスプリングのようなばね４９が出力体４５に外嵌装着される。
【００１４】
よって、振分駆動源４１に電力が供給されると、励磁コイルがばね４９を圧縮しつつ出力体４５を吸着し、出力体４５がリンク軸４６とリンクプレート４４とを介して羽根２５を閉鎖位置から開放位置に開く。上記振分駆動源４１への電力供給が遮断されると、出力体４５に対する励磁コイルの吸着が解除され、ばね４９が伸張し、出力体４５がリンク軸４６とリンクプレート４４とを介して羽根２５を開放位置から閉鎖位置に閉じる。
【００１５】
羽根２５の開閉で横長孔２４をアウト口２２とファール口２１とに使い分けることから、装置本体４２には、開放された左右の羽根２５の隙間たるアウト口２２から遊技盤１の裏側に向けて誘導された球をアウト球として店に戻すためのアウト球通路５１と、閉鎖された左右の羽根２５と横長孔２４の左右の側面との隙間たるファール口２１から遊技盤１の裏側に向けて誘導された球をファール球として遊技者に戻すためのファール球通路５２とが形成される。アウト球通路５１を囲む隔壁５３およびファール球通路５２を囲む隔壁５４は開閉動作する羽根２５およびリンクプレート４４と干渉しない形態である。
【００１６】
第１実施形態の動作について説明する。振分機構２３の羽根２５が開放位置に停止し、横長孔２４がアウト口２２として形成されている状態において、遊技領域３に発射された球が始動入賞部品２８や可変入賞部品３３および図外の入賞部品に入賞せずに遊技領域３を流下して店に戻すアウト球としてアウト口２２に取り込まれる。また、遊技領域３に発射された球が始動入賞部品２８に入賞し、制御装置３１が始動入賞球検出器２９からの始動入賞信号を検出すると、制御装置３１が当たり外れの抽選を実行して結果を記憶するとともに図柄表示器３２に図柄変動の開始を指示した後に抽選結果を反映した図柄停止を指示する。そして、抽選結果が外れの場合、図柄表示器３２の停止した確定図柄が外れ図柄となる一方、制御装置３１が振分駆動源４１を動作せずに、横長孔２４がアウト口２２として維持される。
【００１７】
前記抽選結果が当たりの場合、図柄表示器３２の停止した確定図柄が当たり図柄で揃う一方、制御装置３１が振分駆動源４１を動作せず開閉駆動源を動作し、開閉駆動源が可変入賞部品３３の開閉体３４を開閉する。開閉体３４の開放中において、遊技領域３に発射された球が可変入賞部品３３に取り込まれることによって、制御装置３１が図外の球払出機構を駆動し、球払出機構が賞球としての球を遊技者に払い出すべく皿装置１３に払い出す。開閉体３４の開放中においても、可変入賞部品３３に入賞しない球は遊技領域３を流下して店に戻すアウト球としてアウト口２２に取り込まれる。
【００１８】
開閉体３４の開閉動作が終了すると、制御装置３１が振分駆動源４１を制御装置３１に設定された開閉パターンで駆動する。これによって、始動入賞部品２８への球の入賞の結果として図柄表示器３２の確定図柄が当たり図柄に揃うという遊技者に有利な遊技状況の開始から可変入賞部品３３における開閉体３４の開閉動作終了という遊技者に有利な遊技状況が終了すると、羽根２５が上記開閉パターンに従い開閉（開放・閉鎖）する。そして、羽根２５が開放つまりアウト口２２が開くとともにファール口２１が閉じることで、遊技領域３を入賞部品に入賞せずに流下した球がアウト球としてアウト口２２に取り込まれる一方、羽根２５が閉鎖つまりアウト口２２が閉じるとともにファール口２１が開くことで、遊技領域３を入賞部品に入賞せずに流下した球が遊技者に戻されるファール球としてファール口２１に取り込まれる。上記羽根２５の開閉動作は制御装置３１に予め定められた当たり動作終了後からの図柄変動回数分若しくは時間だけ行われる。そのため、制御装置３１には当たり動作終了からの図柄変動の回数を計数するか若しくは当たり動作終了からの経過時間を計数する手段を備える。よって、計数した当たり動作終了からの図柄変動回数若しくは経過時間が制御装置３１に定められた値になることで、上記羽根２５の開閉動作が終了する。
【００１９】
開閉パターンとしては羽根２５を所定時間閉鎖した後に開くパターン、羽根２５の開閉を所定時間繰り返した後に羽根２５を開くパターンなどがあるが、羽根２５を所定時間閉鎖後に開くパターンとすれば、遊技者に有利な遊技状況が終了した後に、遊技者に返却するファール球の球数を多くすることができる。羽根２５の閉鎖中において、遊技領域３からファール口２１を経由して遊技盤１の裏側に排出されたファール球はファール球通路５２に取り込まれる。このファール球通路５２に取り込まれた球は遊技盤１の裏側および遊技機枠１４の裏側に設けられた図外の球通路を経由して皿装置１３に排出されることで遊技者側に返却される。この皿装置１３に返却されたファール球は球発射機構１５で遊技盤１に向けて発射されるので、遊技者に有利な遊技状況が終了した後に、入賞の可能性に再挑戦する機会を遊技者に与えることができる。
【００２０】
次に、図３を参照し、仮想線で示すアウト口７Ａおよび実線で示すアウト口２２を互いに上下に設けた対比例と実線で示すアウト口２２および実線で示すファール口２１を互いに左右に設けた第１実施形態との差異について考察する。対比例ではアウト口７から下部つまり仮想線Ｌ１よりも下部が入賞の可能性の無い無効な遊技領域３となることに対し、第１実施形態では仮想線Ｌ２よりも下部が入賞の可能性の無い無効な遊技領域３となる。よって、対比例に比べて、第１実施形態は仮想線Ｌ１と仮想線Ｌ２とで囲まれた領域に入賞部品を設けることによって、仮想線Ｌ１と仮想線Ｌ２とで囲まれた領域が入賞の可能性を秘めた有効な遊技領域３として使用することができ、有効な遊技領域３を対比例よりも拡大することができ、遊技性を向上することができる。
【００２１】
図４は第２実施形態に係る振分機構６１を示す。第１実施形態では羽根２５を左右別々に設けたのに対し、第２実施形態は１つの羽根２５で１つの横長孔２４をアウト口２２とファール口２１とに使い分ける形態である。図４において、遊技盤１の裏側に取り付けられた振分機構６１の装置本体４２には１つの羽根２５が羽根軸４３で左右に回転し得るように取り付けられる。羽根２５より突出したリンクプレート４４と装置本体４２に取り付けられた振分駆動源４１の出力体４５とがリンク軸４６で回転可能に結合される。
【００２２】
第２実施形態の構造によれば、振分駆動源４１に電力が供給されると、励磁コイルがばね４９を圧縮しつつ出力体４５を吸着し、出力体４５がリンク軸４６とリンクプレート４４とを介して羽根２５を実線で示す開放位置から仮想線で示す閉鎖位置に閉じることによって、羽根２５の先端部が横長孔２４の一方の側面と接触するかまたは接触する程度に近接してアウト球通路５１を閉じるとともに、羽根２５と横長孔２４の一方の側面との間に形成された隙間がファール口２１となる。羽根２５でアウト球通路５１が閉じられた場合、遊技領域３を流下してきた球はアウト球通路５１に入ることを羽根２５で拒否される。
【００２３】
上記振分駆動源４１への電力供給が遮断されると、出力体４５に対する励磁コイルの吸着が解除され、ばね４９が伸張し、出力体４５がリンク軸４６とリンクプレート４４とを介して羽根２５を仮想線で示す閉鎖位置から実線で示す開放位置に開くことによって、羽根２５の先端部が横長孔２４の他方の側面に接触するかまたは接触する程度に近接してファール口２１を閉じるとともに、羽根２５と横長孔２４の他方の側面との間に形成された隙間がアウト口２２となる。羽根２５でファール口２１が閉じられた場合、遊技領域３を流下してきた球はファール口２１に入ることを羽根２５で拒否される。
【００２４】
図５は第３実施形態に係る振分機構６５を示す。第１実施形態では羽根２５を回転させたのに対し、第３実施形態は左右の羽根２５が左右に平行移動する形態である。図５において、装置本体４２は箱体６７とアクチュエータ取付部６８およびフランジ６９を有する。箱体６７は左・右側壁７０と下壁７１と後壁７２および上壁（図外）で前方開放状の内部空間を囲み形成する。アクチュエータ取付部６８は後壁７２より後方に突出する。フランジ６９は相対峙する左・右側壁７０の前端部より横方向に突出する。箱体６７が遊技盤１の前側より横長孔２４に挿入され、フランジ６９が遊技盤１における横長孔２４周りに図外の止ねじで取り付けられる。
【００２５】
アクチュエータ取付部６８には振分駆動源４１が固定的に取り付けられる。振分駆動源４１の出力体４５にはアーム８０の横方向に延びた根元部が図外の止ねじで取り付けられる。アーム８０は根元部の左右端部より前方に延びた先端部が後壁７２に形成された貫通孔７３に挿入される。貫通孔７３より前側に突出した先端部にはガイド７４を有する。ガイド７４が羽根２５より後側に突出した横壁７５に形成されたガイド溝７６に挿入される。ガイド溝７６は横方向と交差する角度で左右対称の斜めに形成される。
【００２６】
羽根２５より上下に突出した誘導突起７７が上壁と下壁７１とに形成された横長な誘導溝７８に挿入されることにより、羽根２５が前後に移動不能で左右に移動可能に装置本体４２に取り付けられる。下壁７１は前側から後側に行くに従って徐々に低くなる斜面にアウト球通路５１とファール球通路５２との間に位置するように凸部７９が形成された形態である。凸部７９は前後方向に移動するアーム８０と横方向に移動する羽根２５および横壁７５とに干渉しないように、下方に位置がずれている。側壁７０と凸部７９との間を通りガイドレール２から下壁７１に受け取られた球は側壁７０および凸部７９で案内されつつファール球通路５２に取り込まれる一方、凸部７９の間を通りガイドレール２から下壁７１に受け取られた球は凸部７９で案内されつつアウト球通路５１に取り込まれる。
【００２７】
第３実施形態の構造によれば、振分駆動源４１に電力が供給され、励磁コイルがばね４９を圧縮しつつ出力体４５を吸着すると、ガイド溝７６は互いの間隔が前側から後側に行くに従って徐々に広くなるような逆ハの字形に形成されたことから、出力体４５がガイド溝７６およびガイド７４からなるガイド機構を介して羽根２５を仮想線で示す開放位置から実線で示す閉鎖位置に閉じることによって、羽根２５が互いに接触するかまたは接触する程度に近接し、左右の羽根２５が装置本体４２における凸部７９の間に形成された隙間であるアウト口２２を閉じるとともに、羽根２５と装置本体４２の左・右側壁７０との間に形成された隙間がファール口２１となる。羽根２５でアウト口２２が閉じられた場合、遊技領域３を流下してきた球はアウト口２２に入ることを羽根２５で拒否される。
【００２８】
上記振分駆動源４１への電力供給が遮断されると、出力体４５に対する励磁コイルの吸着が解除され、ばね４９が伸張し、出力体４５がガイド機構を介して羽根２５を実線で示す閉鎖位置から仮想線で示す開放位置に開くことによって、羽根２５が互いに離れ、羽根２５が装置本体４２の左・右側壁７０に接触するかまたは接触する程度に近接し、左右の羽根２５がファール口２１を閉じるとともに、羽根２５の間に形成された隙間がアウト口２２となる。羽根２５でファール口２１が閉じられた場合、遊技領域３を流下してきた球はファール口２１に入ることを羽根２５で拒否される。
【００２９】
図６は第４実施形態に係る振分機構８１を示す。第３実施形態では羽根２５を左右別々に設けたのに対し、第４実施形態は１つの羽根２５でアウト口２２とファール口２１とを互いに交互に開閉する形態である。図６において、遊技盤１の裏側に取り付けられた振分機構２３の装置本体４２には１つの羽根２５が左右方向に移動し得るように取り付けられる。羽根２５より突出した縦壁８２と装置本体４２に取り付けられた振分駆動源４１の出力体４５とが互いに結合される。
【００３０】
第４実施形態の構造によれば、振分駆動源４１に電力が供給されると、励磁コイルがばね４９を圧縮しつつ出力体４５を吸着し、出力体４５が縦壁８２を介して羽根２５を仮想線で示す開放位置から実線で示す閉鎖位置に閉じることによって、羽根２５が横長孔２４の一半部であるアウト口２２を閉じるとともに、羽根２５と横長孔２４の一方の側面との間に形成された隙間がファール口２１となる。羽根２５でアウト口２２が閉じられた場合、遊技領域３を流下してきた球はアウト口２２に入ることを羽根２５で拒否される。
【００３１】
上記振分駆動源４１への電力供給が遮断されると、出力体４５に対する励磁コイルの吸着が解除され、ばね４９が伸張し、出力体４５が縦壁８２を介して羽根２５を実線で示す閉鎖位置から仮想線で示す開放位置に開くことによって、羽根２５が横長孔２４の他半部であるファール口２１を閉じるとともに、羽根２５と横長孔２４の他方の側面との間に形成された隙間がアウト口２２となる。羽根２５でファール口２１が閉じられた場合、遊技領域３を流下してきた球はファール口２１に入ることを羽根２５で拒否される。
【００３２】
図７は第５実施形態に係る振分機構８５を示す。第１−第４実施形態では遊技盤１に形成された横長孔２４を羽根２５でアウト口２２とファール口２１とに使い分けたのに対し、第５実施形態は遊技盤１にアウト口２２を形成し、遊技盤１の裏側にアウト口２２につながる２股状のアウト球通路５１とファール球通路５２とを設け、アウト球通路５１とファール球通路５２との分岐部分に羽根２５を羽根軸４３で回転可能に設け、分岐部分の外側に取り付けられた振分駆動源４１の出力体４５と羽根２５とがリンク軸４６と長孔８６とからなるリンク機構で回転可能に連結される。
【００３３】
第５実施形態の構造によれば、振分駆動源４１に電力が供給されると、励磁コイルがばね４９を圧縮しつつ出力体４５を吸着し、出力体４５がリンク機構を介して羽根２５を仮想線で示す開放位置から実線で示す閉鎖位置に閉じることによって、羽根２５がアウト球通路５１を閉じるとともにファール球通路５２を開き、遊技領域３からアウト口２２に取り込まれた球は羽根２５でアウト球通路５１に行くことなくファール球通路５２に入る。
【００３４】
上記振分駆動源４１への電力供給が遮断されると、出力体４５に対する励磁コイルの吸着が解除され、ばね４９が伸張し、出力体４５がリンク機構を介して羽根２５を仮想線で示す閉鎖位置から実線で示す開放位置に開くことによって、羽根２５がファール球通路５２を閉じるとともにアウト球通路５１を開き、遊技領域３からアウト口２２に取り込まれた球は羽根２５でファール球通路５２に行くことなくアウト球通路５１に入る。
【００３５】
図示は省略するが、遊技盤１にアウト口２２およびファール口２１を形成することに代えて、ガイドレール２の最下部を切り欠き、当該切欠部をアウト口２２およびファール口２１とし、アウト口２２およびファール口２１である切欠部に取り込まれた球を誘導する球通路を遊技盤１の非遊技領域３０に設けてもよい。図示は略すが、ガイド機構に代えてリンク機構で左右の羽根を左右に開閉してもよい。この場合、リンク機構は一方のリンクプレートが一方向に回転すると他方のリンクプレートが一方のリンクプレートとは逆方向に回転し、一方のリンクプレートが逆方向に回転すると他方のリンクプレートが一方向に回転するというように、リンクプレートが鋏のように互いに異なる回転運動を行う。
【００３６】
振分機構２３がファール口２１を開くとともにアウト口２２を閉じるきっかけとして遊技者に有利な遊技状況の終了を例示したが、当該振分機構２３によるファール口２１を開くとともにアウト口２２を閉じるきっかけとして、時短遊技の代わり、始動入賞の発生しない時間が長いはまりの状況、始動入賞に伴う抽選の結果、開閉体３４の開閉動作中という遊技者に有利な遊技状況、始動入賞に伴う抽選結果が外れという遊技者に不利な遊技状況、図柄表示器３２の確定図柄が振分機構２３の動作契機として定められた動作図柄で揃った状態、振分機構２３を動作するために設けた特別の入賞部品への入賞、振分機構２３の動作用に設けた特別入賞部品への入賞に伴う抽選結果、開閉体３４の開閉に伴う大当たり後または電源立ち上げによる初期状態からの始動入賞回数が制御装置３１に設定された規定値を越えた状態などを用いてもよい。始動入賞部品２８および振分機構２３の動作用の特別入賞部品は遊技領域３から取り込んだ球を遊技盤１の裏側に排出する取込形または遊技領域３から取り込んだ球を遊技領域３に排出する通過形のいずれでもよい。
【００３７】
また、複数の異なる開閉パターンを制御装置３１に設定し、制御装置３１が始動入賞または特別入賞部品への入賞に伴う抽選を実行して開閉パターンのうちから１つを選択することもできる。さらに、制御装置３１が始動入賞または特別入賞部品への入賞で抽選を実行して振分機構２３を動作するか否かを決定し、抽選結果として振分機構２３の動作が決定された場合に図柄表示器３２の確定図柄が動作図柄で揃った状態で振分機構２３を動作する一方、抽選結果として振分機構２３を動かさないことが決定された場合は図柄表示器３２の確定図柄と無関係に振分機構２３を動作させないようにすることも可能である。
【図面の簡単な説明】
【図１】第１実施形態のパチンコ機を示す模式図。
【図２】図１のＡ−Ａ線断面図。
【図３】対比例を示す模式図。
【図４】第２実施形態の振分機構を示す模式図。
【図５】第３実施形態の振分機構を示す模式図。
【図６】第４実施形態の振分機構を示す模式図。
【図７】第５実施形態の振分機構を示す模式図。
【図８】従来のパチンコ機を示す模式図。
【符号の説明】
１　遊技盤
２　ガイドレール
３　遊技領域
２１　ファール口
２２　アウト口
２３　振分機構
【図１】
2004121377.tif 000003
【図２】
2004121377.tif 000004
【図３】
2004121377.tif 000005
【図４】
2004121377.tif 000006
【図５】
2004121377.tif 000007
【図６】
2004121377.tif 000008
【図７】
2004121377.tif 000009
【図８】
2004121377.tif 000010